(57)【要約】【課題】タップ長の短いＦＩＲフィルタを用いても良好な信号処理が行われる。【解決手段】入力端子１０１より入力されたディジタル音声信号は２つの信号処理系に各々供給される。一方の信号処理系に供給された信号は遅延器１０２に入力され一定時間遅延させた後取り出される。遅延器１０２より出力された信号は減衰器１０３により減衰された後、入力端子１０１より入力されたディジタル信号と加算回路１０４で加算され、ＦＩＲフィルタ１０５に供給される。ぞしてこのＦＩＲフィルタ１０５に予め設定された係数を用いて、ＦＩＲフィルタ１０５に入力されたディジタル信号にインパルス応答を畳み込んで出力端子１０６より出力する。減衰器１０３による減衰率は、入力されたディジタル信号のインパルス応答と遅延器１０２からの出力のインパルス応答をつないだときに滑らかにつながるような値に設定されている。【選択図】図１
2006276883.tif 000002
【特許請求の範囲】
【請求項１】
入力されたディジタル音声信号を遅延および減衰させる信号処理手段と、
前記信号処理手段からの出力信号と前記人力されたディジタル音声信号とを加算する加算手段と、
前記加算手段から供給された信号に対して、音響伝達特性を表すインパルス応答の畳み込み処理を施すＦＩＲフィルタと
を備えることを特徴とする信号処理装置。
【請求項２】
請求項１に記載の信号処理装置において、
前記信号処理手段は、
前記入力されたディジタル音声信号を遅延する遅延手段と、
前記遅延手段からの出力信号を減衰させる減衰手段から構成されていることを特徴とする信号処理装置。
【請求項３】
請求項１に記載の信号処理装置において、
前記信号処理手段は、
前記入力されたディジタル音声信号を遅延させ、遅延された信号を減衰させて出力する第１の処理手段と、
前記入力されたディジタル音声信号を前記第１の処理手段とは異なる時間だけ遅延させ、遅延された信号を前記第１の処理手段よりも更に減衰させて出力する第２の信号処理手段と
を備え、
前記加算手段は、
前記第１および第２の信号処理手段からの出力信号と前記入力されたディジタル音声信号とを加算することを特徴とする信号処理装置。
【請求項４】
請求項１に記載の信号処理装置において、
前記信号処理手段により遅延された信号の一部を前記信号処理手段の入力端に帰還させる帰還ループを備えていることを特徴とする信号処理装置。
【請求項５】
請求項４に記載の信号処理装置において、
前記帰還ループ内に、さらなる減衰手段を備えることを特徴とする信号処理装置。
【請求項６】
入力されたディジタル音声信号に対して、音響伝達特性を表すインパルス応答の畳み込み処理を施す信号処理手段と、
前記信号処理手段からの出力信号をアナログ信号に変換する変換手段と、
前記変換手段からの出力信号を可聴音に変換する電気音響変換手段とを有し、
前記信号処理手段は、
前記入力されたディジタル音声信号を遅延および減衰させる遅延減衰手段と、
前記遅延減衰手段からの出力信号と前記入力されたディジタル音声信号とを加算する加算手段と、
前記加算手段から供給された信号に対して、前記音響伝達特性を表すインパルス応答の畳み込み処理を施すＦＩＲフィルタと
を備えることを特徴とする音響再生装置。
【請求項７】
請求項６に記載の音響再生装置において、
前記遅延減衰手段は、
前記入力されたディジタル音声信号を遅延する遅延手段と、
前記遅延手段からの出力信号を減衰させる減衰手段から構成されていることを特徴とする音響再生装置。
【請求項８】
請求項６に記載の音響再生装置において、
前記遅延減衰手段は、
前記入力されたディジタル音声信号を遅延させ、遅延された信号を減衰させて出力する第１の処理手段と、
前記入力されたディジタル音声信号を前記第１の処理手段とは異なる時間だけ遅延させ、遅延された信号を前記第１の処理手段よりも更に減衰させて出力する第２の信号処理手段とを備え、
前記加算手段は、前記第１および第２の処理手段からの出力信号と前記入力されたディジタル音声信号とを加算することを特徴とする音響再生装置。
【請求項９】
請求項６に記載の音響再生装置において、
前記遅延減衰手段により遅延された信号の一部を前記遅延減衰手段の入力端に帰還させる帰還ループを備えていることを特徴とする音響再生装置。
【請求項１０】
請求項９に記載の音響再生装置において、
前記帰還ループ内に、さらなる減衰手段を備えることを特徴とする音響再生装置。
【発明の詳細な説明】
【技術分野】
【０００１】
本発明は、信号処理装置並びに音響再生装置に関する。特に、本発明はＦＩＲフィルタを用いる信号処理装置並びにそれを用いた音響再生装置に関する。
【背景技術】
【０００２】
例えば、帯域分割された周波数帯域ごとに残響処理を行う残響付加装置が知られている（例えば、特許文献１参照。）。ただし、ここで言う「残響処理」とは、その「残響特性（長さ、深さ等）」（第１頁最下行）について処理を行うものである。
【特許文献１】実公平１−１２３２０号公報
【発明の開示】
【発明が解決しようとする課題】
【０００３】
信号伝達経路等の系のインパルス応答を測定し、その応答を信号処理装置の中に構成したＦＩＲフィルタにより再現するようにした電子機器が数多く提案されている。例えば、ＦＩＲフィルタを用いる残響付加装置では、部屋のインパルス応答を測定し、この応答を再現するＦＩＲフィルタにより、実際に測定した部屋でその音を聞くのと同じ残響特性を持つ再生信号を全く別の環境下で聞くことができる。
【０００４】
またＦＩＲフィルタを用いた音響再生装置では、スピーカから両耳への伝達特性を表すインパルス応答を測定し、この応答を再現するＦＩＲフィルタを信号処理装置に設けることにより、ヘッドホンを用いる音響再生装置による再生でありながらスピーカシステムを用いた場合の再生の場合と同等の音像定位効果を発生させることができる。
【０００５】
しかしながらこのような信号処理装置において、測定したインパルス応答に忠実な収束時間及び周波数応答を持つフィルタを、ＦＩＲフィルタで高精度に構成しようとした場合、タップ長の長いＦＩＲフィルタを用いる必要があった。従ってこのような信号処理を行うためには、多数個の信号処理装置を必要とし、高価でかつ大規模なシステムになってしまうものであった。
【０００６】
この出願はこのような点に鑑みて成されたものであって、解決しようとする問題点は、従来の装置では、ＦＩＲフィルタで高精度に構成しようとした場合に、タップ長の長いＦＩＲフィルタを用いる必要がある。従ってこのような信号処理を行うためには、多数個の信号処理装置を必要とし、高価でかつ大規模なシステムになってしまうというものである。
【課題を解決するための手段】
【０００７】
このため本発明においては、ＦＩＲフィルタの前段に信号処理手段、加算手段を設けるようにしたものであって、これによれば、タップ長の短いＦＩＲフィルタを用いても良好な信号処理が行われるようにすることができる。
【発明の効果】
【０００８】
請求項１の発明によれば、ＦＩＲフィルタの前段に信号処理手段、加算手段を設けるようにしたことによって、タップ長の短いＦＩＲフィルタを用いても良好な信号処理が行われるようにすることができるものである。
【０００９】
また、請求項２の発明によれば、信号処理手段は、入力されたディジタル音声信号を遅延する遅延手段と、遅延手段からの出力信号を減衰させる減衰手段から構成されていることによって、さらに良好な信号処理が行われるものである。
【００１０】
請求項３の発明によれば、信号処理手段は、入力されたディジタル音声信号を遅延させ、遅延された信号を減衰させて出力する第１の処理手段と、入力されたディジタル音声信号を第１の処理手段とは異なる時間だけ遅延させ、遅延された信号を第１の処理手段よりも更に減衰させて出力する第２の信号処理手段とを備え、加算手段は、第１および第２の信号処理手段からの出力信号と入力されたディジタル音声信号とを加算することによって、信号処理を具体的に実現することができるものである。
【００１１】
請求項４の発明によれば、信号処理手段により遅延された信号の一部を信号処理手段の入力端に帰還させる帰還ループを備えていることによって、さらに良好な信号処理が行われるものである。
【００１２】
請求項５の発明によれば、帰還ループ内に、さらなる減衰手段を備えることによって、さらに良好な信号処理を行うことができるものである。
【００１３】
さらに請求項６の発明によれば、ＦＩＲフィルタの前段に信号処理手段、加算手段を設けるようにしたことによって、タップ長の短いＦＩＲフィルタを用いても良好な信号処理が行われ、良好な音響再生が行われるようにすることができるものである。
【００１４】
また、請求項７の発明によれば、遅延減衰手段は、入力されたディジタル音声信号を遅延する遅延手段と、遅延手段からの出力信号を減衰させる減衰手段から構成されていることによって、さらに良好な音響再生が行われるものである。
【００１５】
請求項８の発明によれば、遅延減衰手段は、入力されたディジタル音声信号を遅延させ、遅延された信号を減衰させて出力する第１の処理手段と、入力されたディジタル音声信号を第１の処理手段とは異なる時間だけ遅延させ、遅延された信号を第１の処理手段よりも更に減衰させて出力する第２の信号処理手段とを備え、加算手段は、第１および第２の処理手段からの出力信号と入力されたディジタル音声信号とを加算することによって、音響再生を具体的に実現することができるものである。
【００１６】
請求項９の発明によれば、遅延減衰手段により遅延された信号の一部を遅延減衰手段の入力端に帰還される帰還ループを備えていることによって、さらに良好な音響再生が行われるものである。
【００１７】
請求項１０の発明によれば、帰還ループ内に、さらなる減衰手段を備えることによって、さらに良好な音響再生を行うことができるものである。
【００１８】
これによって、従来の装置では、ＦＩＲフィルタで高精度に構成しようとした場合に、タップ長の長いＦＩＲフィルタを用いる必要がある。従ってこのような信号処理を行うためには、多数個の信号処理装置を必要とし、高価でかつ大規模なシステムになってしまうという問題点があったものを、本発明によればこれらの問題点を容易に解消することができるものである。
【発明を実施するための最良の形態】
【００１９】
すなわち本発明の信号処理装置においては、入力されたディジタル音声信号を遅延および減衰させる信号処理手段と、信号処理手段からの出力信号と人力されたディジタル音声信号とを加算する加算手段と、加算手段から供給された信号に対して、音響伝達特性を表すインパルス応答の畳み込み処理を施すＦＩＲフィルタとを備えてなるものである。
【００２０】
また、本発明の音響再生装置においては、入力されたディジタル音声信号に対して、音響伝達特性を表すインパルス応答の畳み込み処理を施す信号処理手段と、信号処理手段からの出力信号をアナログ信号に変換する変換手段と、変換手段からの出力信号を可聴音に変換する電気音響変換手段とを有し、信号処理手段は、入力されたディジタル音声信号を遅延および減衰させる遅延減衰手段と、遅延減衰手段からの出力信号と入力されたディジタル音声信号とを加算する加算手段と、加算手段から供給された信号に対して、音響伝達特性を表すインパルス応答の畳み込み処理を施すＦＩＲフィルタとを備えてなるものである。
【００２１】
以下、図面を用いて本発明の実施形態に係る信号処理装置並びに音響再生装置について詳細に説明する。
【００２２】
図１は、本発明の第１の実施形態に係る信号処理装置の処理ブロックを示している。この図１において、入力端子１０１より入力されたディジタル音声信号は２つの信号処理系に各々供給される。
【００２３】
一方の信号処理系に供給された信号は遅延器１０２に入力され一定時間遅延させた後取り出される。遅延器１０２より出力された信号は減衰器１０３により減衰された後、入力端子１０１より入力されたディジタル信号と加算回路１０４で加算され、ＦＩＲフィルタ１０５に供給される。ぞしてこのＦＩＲフィルタ１０５に予め設定された係数を用いて、ＦＩＲフィルタ１０５に入力されたディジタル信号にインパルス応答を畳み込んで出力端子１０６より出力する。
【００２４】
減衰器１０３による減衰率は、後述するように、入力されたディジタル信号のインパルス応答と遅延器１０２からの出力のインパルス応答をつないだときに滑らかにつながるような値に設定されている。
【００２５】
なお、図２は第１の実施形態で用いられるＦＩＲフィルタ１０５の構成を示す。すなわち図２において、入力端１２１に供給された信号は、直列に接続された多数の遅延素子１２２に供給される。これら遅延素子１２２によって遅延された信号が、サンプリング周期のクロック信僣で順次転送される。これらの遅延素子１２２の入出力端からそれぞれタップが導出される。
【００２６】
これらのタップからの信号がそれぞれ係数器１２３で所定の係数が乗算される。係数器１２３からの乗算した結果が加算器１２４で加算されて、出力端子１２５に出力される。従ってこのようなＦＩＲフィルタ１０５において、係数器１２３にインパルス応答に応じた係数を設定することによって、このインパルス応答を畳み込む演算が行われる。
【００２７】
このようなＦＩＲフィルタ１０５において、図３のＡは測定したインパルス応答の例を示す。一方、ＦＩＲフィルタ１０５のタップ長は有限なので、これを図２に示すような普通のＦＩＲフィルタで構成した場合、そのタップ長までの応答しか構成することができず、その応答は図３のＣのように時間ｔ１（図３のＢ）まで再生してその後は途切れてしまう。
【００２８】
これに対し遅延器１０２を介して時間ｔ１だけ遅らせさらに減衰させた信号図４のＡをこのＦＩＲフィルタに入力すると、この入力によりＦＩＲフィルタ１０５は図４のＢのような応答を出力する。
【００２９】
従って図１のような構成にし、直接入力信号とｔ１だけ遅延させて減衰させた信号をＦＩＲフィルタ１０５に入力することにより、その出力は図３のＣと図４のＢを合成したもの、すなわち図４のＣのような応答が得られ、実質的にインパルス応答時間を長くすることができる。この際、遅延器１０２から出力される遅延した信号は減衰器１０３によって減衰されているので、図３のＣに示した応答と図４のＢに示した応答は滑らかにつながる。
【００３０】
こうして第１の実施形態に係る装置によれば、入力されたディジタル音声信号を複数の信号処理係に各々供給し、複数の信号処理系の一つの信号処理系に供給された信号は減衰器及び遅延器によって遅延及び減衰され、減衰及び遅延した信号をＦＩＲフィルタに入力することによって、ＦＩＲフィルタの見かけ上応答時間を長くすることができ、タップ長の短いＦＩＲフィルタで必要な長さの応答時間の処理を行うことができる。
【００３１】
また、一方の信号処理系に供給された信号は、遅延器及び減衰器によって遅延及び減衰され、減衰及び遅延した信号を他方の信号処理系に供給された信号と加算した後、ＦＩＲフィルタに入力するように構成したことによって、ＦＩＲフィルタにはまず遅延されてない信号、即ち、入力端子より入力されたディジタル信号そのものが入力される。
【００３２】
そしてこの入力されたディジタル信号のインパルス応答がおおよそ完了する時点に遅延された信号が再びＦＩＲフィルタに入力される。その結果、これにより見かけのＦＩＲフィルタによる応答の長さは２倍になり、タップ長の短いＦＩＲフィルタでも長いインパルス応答を作ることができる。
【００３３】
従ってこの第１の実施形態に係る装置によれば、タップ長の短いＦＩＲフィルタを用いても長いインパルス応答を再現できるようになるので、信号処理の規模を大幅に少なくでき、これをディジタル信号処理用ＩＣ等で構成する場合使用ＩＣの個数を大幅に低減できる。従って当然実装面積を少なくし、消費電力を低減しなおかつ安価にシステムを構成できるという大きな効果を有する。
【００３４】
また、図５には、本発明の第２の実施形態に係る信号処理装置の処理ブロックを図示している。この図５において、入力端子１０１から入力されたディジタル信号が２つの信号処理系に各々供給される。
【００３５】
一方の信号処理系に供給された信号は、遅延器１０２に入力され少なくとも２つ以上の異なる遅延時間経過後に出力される。この遅延器１０２より出力された２つの異なる遅延時間で出力された信号は減衰器１０３ａ，１０３ｂにより減衰された後、入力端子１０１より入力された信号と加算回路１０４で加算され、ＦＩＲフィルタ１０５に入力される。そしてこのＦＩＲフィルタ１０５に予め設定された係数を用いて、人力された信号にインパルス応答を畳み込んで出力端子１０６より出力する。
【００３６】
なお、ＦＩＲフィルタ１０５の構成は図２と同様のものが使用される。減衰器１０３ａ，１０３ｂの各々の減衰率は、第１の実施形態の場合と同様に入力端子１０１より入力されたディジタル信号のインパルス応答と遅延された信号のインパルス応答が滑らかにつながるような値に設定されている。また、減衰器１０３ｂの減衰量が減衰器１０３ａの減衰量よりも大きくなるように設定されている。
【００３７】
入力端子１０１に入力されたディジタル信号は、遅延器１０２に供給されて、互いに２つの異なる遅延時間で遅延された２つの信号が出力される。この第６の実施形態の場合では、遅延器１０２の端子Ｒ２から出力される信号のほうが遅延器１０２の端子Ｒ１から出力される信号よりも遅延時間が長いものとする。遅延器１０２から出力された２つの信号は、各々減衰器１０３ａ，１０３ｂに供給されて、各々異なる減衰率で減衰される。
【００３８】
減衰器１０３ａ，１０３ｂからの出力信号は、加算回路１０４によって入力端子１０１に入力されたディジタル信号と加算されてＦＩＲフィルタ１０５に入力される。ＦＩＲフィルタ１０５では、時間的に遅延されていない入力端子１０１に入力されたディジタル信号にインパルス応答が畳み込まれて、ＦＩＲフィルタ１０５から出力される。
【００３９】
つづいて、ＦＩＲフィルタ１０５では、遅延器１０２の端子Ｒ１から出力されて減衰器１０３ａによって減衰された信号にインパルス応答が畳み込まれて、ＦＩＲフィルタ１０５から出力される。この際、遅延された信号は減衰器１０３ａによって減衰されているので、第５の実施形態と同様に、入力端子１０１に入力されたディジタル信号に基づくインパルス応答と遅延されて減衰器１０３ａによって減衰された信号とは滑らかにつながる。
【００４０】
更に、ＦＩＲフィルタ１０５では、遅延器１０２の端子Ｒ２から出力されて減衰器１０３ｂによって減衰された信号にインパルス応答が畳み込まれてＦＩＲフィルタ１０５から出力される。この時、前述と同様にして、遅延されて減衰器１０３ｂによって減衰された信号のインパルス応答は、遅延されて減衰器１０３ａによって減衰された信号のインパルス応答に滑らかにつながる。
【００４１】
従ってこの第２の実施形態によれば、上述第１の実施形態においてさらに遅延器１０２を介して遅らせる時間ｔ１が複数になり、ＦＩＲフィルタ１０５のタップ長をさらに短くすることができる。
【００４２】
さらに、図６は本発明の第３の実施形態に係る信号処理装置の処理ブロックを図示している。この図６において、上述の図５の実施形態の遅延器１０２の出力の信号のうちの何れか一方の出力信号、本例ではＲ２の出力信号を、減衰器１０３ｂからの出力信号は減衰器１０３ｂを通して加算回路１０４に入力するとともに、減衰器４０７で減衰された後、遅延器１０２の入力段に帰還する。
【００４３】
即ち、減算器４０７によって減衰された信号は、遅延器１０２の前端に設けられた加算回路４０８で加算され、遅延器１０２の入力端に入力される。この第３の実施形態の場合、減衰器１０３aに供給される出力信号Ｒ１を減衰器４０７に供給するようにしてもよい。
【００４４】
さらに、図７は本発明の第４の実施形態に係る信号処理装置の処理ブロックを図示している。この図７において、上述の図５の実施形態の遅延器１０２からさらにもう一つの遅延された信号Ｒ３を取り出し、減衰器５０７で減衰された後、遅延器１０２の入力段に帰還させる。即ち、減衰器５０７によって減衰された信号は、遅延器１０２の前段に設けられた加算回路５０８で加算され、入力端子１０１から入力されたディジタル信号と加算された信号が遅延器１０２に供給される。
【００４５】
これら第３及び第４の実施形態の減衰器４０７，５０７の減衰率は、遅延器１０２から出力された遅延された信号の遅延時間との関係で決まる。即ち、遅延器１０２から出力された遅延時間が長い場合には、遅延された信号の減衰量が大きくなり、ＦＩＲフィルタ１０５から出力されたインパルス応答が実際に測定したインパルス応答に近くなるように減衰器４０７，５０７の減衰率が設定される。
【００４６】
逆に、遅延器１０２から出力された遅延時間が短い場合には、遅延された信号の減衰量が小さくなり、前述と同様にＦＩＲフィルタ１０５から出力されたインパルス応答が実際に測定されたインパルス応答に近くなるように減衰器４０７，５０７の減衰率が設定される。第９，第１０の実施形態の減衰器４０７，５０７に供給される信号の遅延時間は任意に設定される。
【００４７】
すなわちこれらの第３，第４の実施形態によれば、さらに遅延器の出力信号を、当該遅延器の入力端に帰還することによって、遅延された信号が減衰された後再び遅延器の入力になるので、一定比率で減衰した入力が一定周期で繰り返しＦＩＲフィルタに入力されることになり、これによりＦＩＲフィルタの見かけ上のタップ長さをさらに長くすることができる。
【００４８】
従って、これらの第３，第４の実施形態によれば、タップ長の短いＦＩＲフィルタを用いても長いインパルス応答を再現できるようになるので、信号処理の規模を大幅に少なくでき、これをディジタル信号処理用ＩＣ等で構成する場合使用ＩＣの個数を大幅ご低減できる。従って当然実装面積を少なくし、消費電力を低減しなおかつ安価にシステムを構成できるという大きな効果を有する。
【００４９】
さらに図８，図９は、本発明による信号処理装置を音響再生装置に応用した実施形態を示す。
【００５０】
まず図８は、ヘッドホンを用いた音響再生装置の全体の構成を示す。この図８において、音声入力端子６１より入力されたアナログ音声信号はＡ／Ｄ変換器６２によりディジタル信号、例えば４４．１ＫＨｚのディジタルオーディオ信号に変換される。ディジタル化された信号は信号処理装置６３に入力され、ここで音像を頭外に定位させるためのフィルタリングが行われる。
【００５１】
すなわちこの信号処理装置６３での信号処理内容は、例えば前方に置かれた２ケの発音源から両耳にいたる合計４種類のインパルス応答を予め測定し、その測定した特性を図７に示すようなフィルタによって畳み込む。
【００５２】
図９においては、第１及び第２の入力端子７１，７２に入力された信号、例えばＬ，Ｒの各チャンネルの信号がそれぞれフィルタ７３，７４と、フィルタ７５，７６とに供給される。これらのフィルタ７３とフィルタ７５からの信号が加算器７８で加算され、フィルタ７４とフィルタ７６からの信号が加算器７８で加算される。これらの加算信号が第１及び第２の出力端子７９，８０に取り出される。
【００５３】
ここでフィルタ７３〜７６は図１，図５〜７に示したＦＩＲフィルタを用いた信号処理装置を用いる。出力端子７９，８０に出力された信号は、Ｄ／Ａ変換器６４によってＬ，Ｒの各チャンネルのアナログオーディオ信号に変換されて、増幅器６５によって増幅された後に、ヘッドホンシステム６６の一対のスピーカユニットに各々供給される。
【００５４】
これにより、ヘッドホンシステム６６を頭部に装着してヘッドホンシステム６６から出力された音を聞いている聴取者は、あたかもスピーカシステムから再生された音を聞いているように感じる。即ち、ヘッドホンシステム６６の左右のスピーカユニットから出力される音の中心、定位が聴取者の頭部の中に位置しているのではなく、頭外に出た位置、頭部前方に位置する。
【００５５】
そして本発明によれば、フィルタ７３〜７６は、上述の構成の採用によりＦＩＲフィルタを簡略化し小型かつ廉価な音響再生装置を提供することができる。
【００５６】
なお、図８，図９に示した実施形態では、ヘッドホンを用いて再生された音像の頭外定位感を得る音響再生装置を示したが、この部分をスピーカ再生とし２個のスピーカの外側まで音像が定位するようにしたシステムでのＦＩＲ処理の置き換えとしても本発明を応用することができる。
【００５７】
すなわちこの図８，図９に示した装置において、発音源から両耳までのインパルス応答を畳み込むためのフィルタを、図１、図５から図７に示したような信号処理装置を用いて構成すれば、再生された音像の頭外感あるいは前方定位感が従来のサンプリング周波数一定で同数の総タップ数を持ったＦＩＲフィルタで構成した場合に比べて大幅に改善されるという効果がある。
【００５８】
さらに図８，図９に示した例ではヘッドホンを用いて再生された音像の頭外定位感を得る音響再生装置を示したが、この部分をスピーカ再生とし２個のスピーカの外側まで音像が定位するようにしたシステムにも応用できる。
【００５９】
更に本発明を音場シミュレーションシステムに応用すれば、少ないタップ数で長い応答時間の再現が出来る。その結果、従来インパルス応答を巨視的にみて特徴的なパルスのみを捕らえ、サンプリング時間に比べ荒い時間間隔で残響発生器を構成していたものを、サンプリング時間毎に分布する密なパルスで構成できるようになり、より忠実な音場再現ができるようになる。
【００６０】
なお本発明は、上述の説明した実施形態に限定されるものではなく、本発明の精神を逸脱することなく種々の変形が可能とされるものである。
【図面の簡単な説明】
【００６１】
【図１】本発明の第１の実施形態に係る信号処理装置の処理ブロック図である。
【図２】第１の実施形態で用いられるＦＩＲフィルタの構成図である。
【図３】測定したインパルス応答の例を示す線図である。
【図４】時間ｔ１だけ遅らせさらに減衰させた信号を示す線図である。
【図５】本発明の第２の実施形態に係る信号処理装置の処理ブロック図である。
【図６】本発明の第３の実施形態に係る信号処理装置の処理ブロック図である。
【図７】本発明の第４の実施形態に係る信号処理装置の処理ブロック図である。
【図８】本発明による音響再生装置の実施形態の構成図である。
【図９】本発明による音響再生装置の実施形態の構成図である。
【符号の説明】
【００６２】
１０１，１２１…入力端子、１０２，４０７，５０７…遅延器、１０３…減衰器、１０４，４０８，５０４…加算回路、１０５…ＦＩＲフィルタ、１０６，１２５…出力端子、１２２…遅延素子、１２３…係数器、１２４…加算器、６１…音声入力端子、６２…Ａ／Ｄ変換器、６３…信号処理装置、６４…Ｄ／Ａ変換器、６５…増幅器、６６…ヘッドホンシステム、７１…第１の入力端子、７２…第２の入力端子、７３〜７６…フィルタ、７７，７８…加算器、７９，８０…出力端子
【図１】
2006276883.tif 000003
【図２】
2006276883.tif 000004
【図３】
2006276883.tif 000005
【図４】
2006276883.tif 000006
【図５】
2006276883.tif 000007
【図６】
2006276883.tif 000008
【図７】
2006276883.tif 000009
【図８】
2006276883.tif 000010
【図９】
2006276883.tif 000011